(57)【要約】【課題】携帯電話機の充電作業の煩わしさとドアホン装置における不在モードの設定及びその解除操作の煩わしさを解消可能にする。【解決手段】ドアホン親機１に携帯電話機３への充電機能を持たせ、ドアホン親機１の制御部１２は、携帯電話機３の非充電を検出した場合は不在と判定して訪問者の映像を順次メモリ１５に記憶する一方、携帯電話機３への充電の開始を検出した場合は在宅と判定して、不在中に記憶された訪問者の映像をメモリ１５から読み出し表示部１７に表示する。この結果、携帯電話機の充電と非充電を、ドアホン装置における不在モードの解除とその設定操作とに連動させることができ、これにより、ドアホン装置の不在モードの設定やその解除操作を省略できる。また、携帯電話機を充電する充電台が不要となり、携帯電話機の充電の際に逐一充電台を取りだして充電するといった煩雑な充電作業を解消できる。【選択図】  図３
2006108784.tif 000002
【特許請求の範囲】
【請求項１】
少なくともカメラを有するドアホン子機と、前記ドアホン子機と接続され少なくとも前記カメラにより撮影された映像を表示する表示部を有するドアホン親機とからなるドアホン装置において、
前記ドアホン親機は、
携帯端末装置を充電する充電部と、
前記カメラにより撮影された映像を記憶する記憶部と、
前記充電部により前記携帯端末装置の充電が開始されると、前記記憶部に記憶されている映像を前記表示部に表示する制御部と
を有することを特徴とするドアホン装置。
【請求項２】
請求項１において、
前記制御部は、前記充電部による前記携帯端末装置の充電の有無を検出することにより、前記携帯端末装置を所有する利用者の在宅の有無を判定する判定手段を有することを特徴とするドアホン装置。
【請求項３】
請求項１において、
前記ドアホン親機は、前記記憶部に記憶されている映像を前記携帯端末装置に転送するインタフェース部を有することを特徴とするドアホン装置。
【発明の詳細な説明】
【技術分野】
【０００１】
本発明は、不在中の訪問者の映像を記憶し、帰宅時にその映像を再生可能なドアホン装置に関する。
【背景技術】
【０００２】
この種のドアホン装置として、特開平６−６２４１１号公報及び特開平２−２６０８６０号公報に開示されているドアホン装置がある。
【０００３】
特開平６−６２４１１号公報に開示されているドアホン装置は、外出の際に録画スイッチをＯＮしておくことにより、不在中の訪問者の映像を、各フィールドに分割された映像メモリ部のフィールドに順次記憶するとともに、フィールドが一杯になると、フィールド内のメモリ部の中心部を残したまま周囲の領域を確保し、新たな映像をその周囲のメモリ部に格納するものである（特許文献１参照）。
【０００４】
また、特開平２−２６０８６０号公報に開示されているドアホン装置は、画像蓄積コントロール部は不在モード時にドアホン着信検出信号を受信すると、ボタン電話機の発光ダイオード等の表示部にドアホン着信有りの表示を行うとともに、画像蓄積部に蓄積指令信号を送出し、画像蓄積部はこの蓄積指令信号を受けて、ビデオカメラからの撮像出力を静止画像情報としてメモリ手段に記憶する。そして、利用者が帰宅時に表示部のドアホン着信有りの表示を認識してテレビ電話機の再生操作を行うと、メモリ手段から蓄積静止画像が読み出されて、モニタ受信機に表示される（特許文献２参照）。
【０００５】
【特許文献１】特開平６−６２４１１号公報
【特許文献２】特開平２−２６０８６０号公報
【発明の開示】
【発明が解決しようとする課題】
【０００６】
このように従来のドアホン装置は、外出時に所定の操作により不在モードに設定しておき、この不在モード時にドアホン着信があると、訪問者の映像をビデオカメラにより撮像して記憶するとともに、帰宅時に不在モードを解除する操作を行うと、記憶している訪問者の映像をモニタ画面に表示するようにしている。しかしながら、こうしたドアホン装置では、不在モードの設定やその解除操作が煩わしく、不在モードの設定を忘れると不在中の訪問者の映像を記録することができず、また、不在モードの解除操作を忘れると訪問者の映像が再生できないという問題がある。
【０００７】
一方、近年は携帯電話機が急速に普及しているが、こうした携帯電話機はほぼ毎日充電が必要であり、携帯電話機の充電の際には充電台を取りだしてその充電台により充電しなければならないことから、こうした充電作業が煩わしいという問題がある。
【０００８】
本発明は以上のような問題点に鑑みてなされたものであり、その目的とするところは、携帯電話機を充電する充電作業の煩わしさとドアホン装置における不在モードの設定及びその解除操作の煩わしさを解消可能にすることにある。
【課題を解決するための手段】
【０００９】
このような課題を解決するために本発明は、少なくともカメラを有するドアホン子機と、ドアホン子機と接続され少なくともカメラにより撮影された映像を表示する表示部を有するドアホン親機とからなるドアホン装置において、ドアホン親機は、携帯電話機を充電する充電部と、カメラにより撮影された映像を記憶する記憶部と、充電部により携帯電話機の充電が開始されると、記憶部に記憶されている映像を表示部に表示する制御部とを有する。
また、制御部は、充電部による携帯電話機の充電の有無を検出することにより、携帯電話機を所有する利用者の在宅の有無を判定するものである。
また、ドアホン親機は、記憶部に記憶されている映像を携帯電話機に転送するインタフェース部を有する。
【発明の効果】
【００１０】
本発明によれば、ドアホン親機に、携帯電話機を充電する充電部と、カメラにより撮影された映像を記憶する記憶部と、制御部とを設け、制御部は、充電部により携帯電話機が充電されると、記憶部に記憶されている映像を表示部に表示するように制御したので、利用者が帰宅して自身の携帯電話機を充電部により充電させると、その利用者が携帯電話機を所持して外出中にカメラにより撮影され記憶部に記憶された訪問者の映像がドアホン親機の表示部に表示されることになり、これにより、訪問者の映像を記憶する際に不在モードの設定操作を行い、記憶された訪問者の映像を表示する際に不在モードの解除操作を行うといった、不在モードの設定や解除の操作を不要にできる。また、ドアホン親機により携帯電話機の充電が可能になるため、充電台が不要となり、携帯電話機の充電ごとに逐一充電台を取りだして充電するといった充電作業の煩わしさを解消できる。
【００１１】
また、充電部による携帯電話機の充電の有無を検出することにより、携帯電話機を所有する利用者の在宅の有無を判定するようにしたので、携帯電話機の充電と非充電を、ドアホン装置における不在モードの解除とその設定操作とに連動させることが可能になり、この結果、不在モードの設定やその解除操作が煩わしいといった問題を解消できる。
また、ドアホン親機は、記憶部に記憶されている映像を携帯電話機に転送可能にしたので、記憶部に記憶されている不在中の訪問者の映像を携帯電話機の表示部に表示することができ、この結果、利用者は携帯電話機を他の場所へ持ち運んでその表示部に表示されている訪問者の映像を確認することができる。
【発明を実施するための最良の形態】
【００１２】
図１は、本発明に係るドアホン装置の構成を示すブロック図である。このドアホン装置は、ドアホン親機１とドアホン子機２とからなり、ドアホン親機１には、図１（ａ）に示すように、ＡＣ１００Ｖ電源を入力してドアホン親機１の各部に電源電圧Ｖを供給する電源回路１０と、電源回路１０からの電源を携帯端末装置である携帯電話機３の電池に給電し充電を行う充電部１１と、制御部１２と、ドアホン子機２との間で伝送される信号の変復調を行う変復調回路１３と、ドアホン子機２の後述するカメラにより撮影され変復調回路１３を介する映像信号を処理する映像信号処理回路１４と、映像信号処理回路１４により処理された映像信号を格納するメモリ１５とが設けられている。なお、充電部１１は、携帯電話機３を載置するための機械的構造部と、充電回路と、携帯電話機３の電池の電極と接続される前記充電回路の充電出力端子とを含む。
【００１３】
また、ドアホン親機１には、さらに、映像インタフェース回路１６と、映像信号処理回路１４により処理され映像インタフェース回路１６を介する映像信号を表示する表示部１７と、ドアホン子機２側から送信され変復調回路１３を介する音声信号を処理して受話器１９に送出するとともに、受話器１９側からの音声信号を処理して変復調回路１３を介しドアホン子機２側へ送出する音声信号処理回路１８と、携帯電話機３とデータ伝送を行うための電話機Ｉ／Ｆ部２０とが設けられている。
【００１４】
次に、ドアホン子機２には、図１（ｂ）に示すように、訪問者の映像を撮影するカメラ２１と、カメラ２１を駆動するカメラ駆動回路２２Ａ及びカメラ２１により撮影された映像を入力する撮影回路２２Ｂからなる撮影部２２と、カメラ２１の角度を制御するカメラ角度制御部２３と、カメラ２１により撮影され撮影回路２２Ｂを介するカメラ信号（撮影信号）を処理するカメラ信号処理回路２４と、ドアホン親機１との間で送受される信号の変復調を行う変復調回路２５とが設けられている。
【００１５】
また、ドアホン子機２には、さらに、ドアホン親機１側から送信され変復調回路２５を介する音声信号を送出するスピーカ２６と、訪問者の音声を入力して変復調回路２５を介しドアホン親機１側へ送出するマイク２７と、訪問者が呼出時に操作する呼出ボタン２８と、ドアホン子機２の上下左右にそれぞれ配設され訪問者の有無を検出するためのセンサ２９Ａ〜２９Ｄと、各センサ２９Ａ〜２９Ｄが検出した信号を比較しその比較出力を変復調回路２５を介してカメラ角度制御部２３側に出力しカメラの角度を制御させるセンサ入力比較回路３０とが設けられている。
【００１６】
図２は、以上のように構成されたドアホン子機２とドアホン親機１との接続の状況を示す図である。図２及び図１を参照して本ドアホン装置の動作を説明する。
【００１７】
携帯電話機３の利用者は自宅に帰宅すると、自宅に配設されているドアホン親機１の充電部１１に携帯電話機３を載置し携帯電話機３の充電を行う。また、利用者は外出するときには充電中の携帯電話機３をドアホン親機１から取り外して所持する。ここで、ドアホン親機１の制御部１２は、携帯電話機３が充電されているか否かを充電部１１を介して常時検出しており、携帯電話機３が充電部１１により充電されていることが検出されれば「利用者が在宅している」と識別し、携帯電話機３が充電部１１により充電されていないことが検出されれば「利用者は不在である」と識別する。
【００１８】
利用者がドアホン親機１から携帯電話機３を取り外して所持した外出中（不在中）に訪問者がその利用者の自宅を訪れ、その自宅の玄関外部に配設されているドアホン子機２の呼出ボタン２８を押下すると、その押下信号は変復調回路２５及び接続ケーブルを介してドアホン親機１の変復調回路１３に達し、さらにこの変復調回路１３を経由して制御部１２に伝達される。この場合、制御部１２は訪問者が来訪したと判断して、図示しないチャイムを鳴動させ訪問者の来訪を報知する。
【００１９】
また、このとき、その訪問者はドアホン子機２のセンサ２９Ａ〜２９Ｄにより検出されてセンサ入力比較回路３０に出力され、さらにセンサ入力比較回路３０でで各センサ入力レベルの比較が行われ、比較結果の情報が変復調回路２５を介してカメラ角度制御部２３に出力される。カメラ角度制御部２３では各センサ入力の比較結果の情報に基づいてカメラ２１の的確な角度を演算しその演算結果に基づきカメラ駆動回路２２Ａを制御しカメラ駆動回路２２Ａによりカメラ２１を駆動させることにより、その訪問者をカメラ２１で撮影させる。
【００２０】
カメラ２１により撮影された訪問者の映像は、撮影回路２２Ｂを介してカメラ信号処理回路２４に出力され、カメラ信号処理回路２４で処理されて変復調回路２５を介してドアホン親機１側に送られる。そして、この訪問者の映像信号はドアホン親機１の変復調回路１３を介して映像信号処理回路１４に出力されてこの映像信号処理回路１４で処理され映像インタフェース回路１６を介して表示部１７に表示される。また、このとき、ドアホン親機１の制御部１２は、利用者の不在中に来訪者が来訪したと判断して、映像信号処理回路１４を制御し、映像信号処理回路１４で訪問者の映像信号をＡ／Ｄ変換させメモリ１５に記憶させる。
【００２１】
このようにして、利用者の不在中にはその利用者宅に訪問した各訪問者の映像が順次ドアホン親機１のメモリ１５に記憶される。
【００２２】
ここで、利用者が帰宅してドアホン親機１の充電部１１に携帯電話機３を載置することにより携帯電話機３への充電が開始されると、ドアホン親機１の制御部１２は、これを検出して利用者が外出先から帰宅したと判断する。この場合、制御部１２は、映像信号処理回路１４を制御することにより、メモリ１５に記憶されている、不在中の訪問者の映像を順次読み出させてＤ／Ａ変換させ、映像インタフェース回路１６を介して表示部１７に順次表示させる。
【００２３】
なお、利用者の在宅中に訪問者がドアホン子機２の呼出ボタン２８を押下すると、図示しないチャイムが鳴動し、利用者に訪問者の来訪を報知する。このとき、カメラ２１により撮影された訪問者の映像が同様に表示部１７に表示される。ここで、利用者がドアホン親機１の受話器１９を介して訪問者と会話を行うと、利用者の音声信号は音声信号処理回路１８，変復調回路１３を経由してドアホン子機２に送られ、ドアホン子機２の変復調回路２５を介してスピーカ２６から送出され、訪問者により聴取される。また、訪問者の音声はドアホン子機２のマイク２７，変復調回路２５を介してドアホン親機１に送られ、ドアホン親機１の変復調回路１３，音声処理回路１８を介して受話器１９から送出され利用者により聴取される。
【００２４】
図３は、このようなドアホン装置の要部動作を示すフローチャートである。このフローチャートに基づいて本発明の要部動作についてさらに詳細に説明する。
ドアホン装置に電源が投入された後、ドアホン親機１の制御部１２は、まず携帯電話機３への充電が開始されたか否かを判断する（ステップＳ１）。ここで、利用者の携帯電話機３がドアホン親機１の充電部１１により充電されていることが検出できなければ、ステップＳ１の判定はＮＯとなり、この場合、利用者は不在であると判定する。そして、次に訪問者が来訪したか否かを判断する（ステップＳ２）。
【００２５】
ここで、訪問者によるドアホン子機２の呼出ボタンの押下が検出された場合は、ドアホン親機１の制御部１２は訪問者が来訪したと判定し（ステップＳ２のＹＥＳ）、ドアホン子機２に設けられているカメラによりその訪問者を撮影し（ステップＳ３）、その撮影した映像をドアホン親機１のメモリ１５に記憶させる（ステップＳ４）。このようにして、利用者の不在中には訪問者の映像が順次ドアホン親機１のメモリ１５に記憶される。
【００２６】
そして、利用者が帰宅し、自身の携帯電話機３をドアホン親機１の充電部１１に載置されると、充電部１１により携帯電話機３に充電が開始される。このとき、ドアホン親機１の制御部１２は、充電部１１による携帯電話機３の充電を、充電部１１を介して検出することにより、携帯電話機３への充電が開始されたと判定する（ステップＳ１のＹＥＳ）。この場合、制御部１１は、メモリ１５の中に未確認映像があるか否かを判断する（ステップＳ５）。
【００２７】
ここで、メモリ１５に記憶されている映像は、その映像が読み出されて表示部１７に表示された場合には、その映像は確認済みの映像として消去されることから、メモリ１５の中に未確認映像が存在するということは（ステップＳ５のＹＥＳ）、その映像は未だ読み出されて表示部１７に表示されていない、不在中に記憶した映像が存在するということで、制御部１２は、映像信号処理回路１４を制御することにより、メモリ１５に記憶されている、その未確認映像、即ち不在中の訪問者の映像を順次読み出させる（ステップＳ６）。そして読み出させたその未確認映像を、映像信号処理回路１４により映像インタフェース回路１６を介して表示部１７に順次表示させる（ステップＳ７）。これにより、利用者は自身の不在中に誰が訪問したのかを容易に認識できる。
【００２８】
また、ドアホン親機１の制御部１２は、映像信号処理回路１４がメモリ１５から読み出したその未確認映像を入力して、電話機Ｉ／Ｆ部２０を介して携帯電話機３に転送し、携帯電話機３の表示部に表示させる（ステップＳ８）。この結果、その携帯電話機３をドアホン親機１から取り外して他の場所へ持ち運びその携帯電話機３の表示部に表示されている訪問者の映像を確認することができる。
【００２９】
このように、ドアホン装置に携帯電話機３への充電機能を持たせ、ドアホン親機１の制御部１２は、充電部１１を介し携帯電話機３の充電の有無を検出して、携帯電話機３が充電されていないことが検出された場合は「利用者は不在」と判定して訪問者の映像を順次メモリ１５に記憶する一方、携帯電話機３への充電の開始が検出された場合は「利用者は帰宅した」と判定して、不在中に記憶された訪問者の映像をメモリ１５から読み出し表示部１７に表示するようにしたものである。この結果、携帯電話機の充電と非充電を、ドアホン装置における不在モードの解除とその設定操作とに連動させることが可能になり、これにより、ドアホン装置における不在モードの設定及びその解除操作を省略でき、したがって、こうした不在モードの設定及びその解除操作が煩わしいといった問題を解消できる。また、ドアホン装置により携帯電話機の充電が可能になるため、充電台が不要となり、携帯電話機の充電の際に逐一充電台を取りだして充電するといった充電作業の煩わしさを解消できる。
【図面の簡単な説明】
【００３０】
【図１】本発明に係るドアホン装置を構成するドアホン親機のブロック図（図１（ａ））及びドアホン子機のブロック図（図１（ｂ））である。
【図２】ドアホン親機とドアホン子機の接続状況を示す図である。
【図３】ドアホン装置の要部動作を示すフローチャートである。
【符号の説明】
【００３１】
１…ドアホン親機、２…ドアホン子機、３…携帯電話機、１０，３１…電源回路、１１…充電部、１２…制御部、１３，２５…変復調回路、１４…映像信号処理回路、１５…メモリ、１６…映像インタフェース回路、１７…表示部、２１…カメラ、２２Ａ…カメラ駆動回路、２２Ｂ…撮影回路、２３…カメラ角度制御部、２４…カメラ信号処理回路、２８…呼出ボタン、２９Ａ，２９Ｂ，２９Ｃ，２９Ｄ…センサ、３０…センサ入力比較回路。
【図１】
2006108784.tif 000003
【図２】
2006108784.tif 000004
【図３】
2006108784.tif 000005